(57)【特許請求の範囲】
【請求項１】
光透過性を有する文字板生地層と、
前記文字板生地層の表面に配置されて、前記文字板生地層を透過した光のうちの特定の波長の光を透過させる表示用印刷層と、
前記表示用印刷層が配置された箇所を除く箇所において前記文字板生地層の表面に配置された、遮光性を有する背景用印刷層と、
前記背景用印刷層の表面に配置された光透過性を有するクリア印刷層と、
を備えた計器用文字板であって、
前記クリア印刷層は、所定方向と直交する方向に略平行に配置され光が当たったときにモアレが生ずる間隔が微小高さの線間に形成された多数の線からなり、各線どうしの間隔が前記所定方向又はその逆方向の少なくとも一方に向かって漸増する平行線群を有することを特徴とする計器用文字板。
【請求項２】
前記平行線群は、当該計器用文字板の中心から外周縁に向かって各線間の間隔が漸増することを特徴とする請求項１に記載の計器用文字板。
【請求項３】
前記平行線群は、当該計器用文字板の外周縁から中心に向かって各線間の間隔が漸増することを特徴とする請求項１に記載の計器用文字板。
【発明の詳細な説明】
【技術分野】
【０００１】
本発明は、自動車のダッシュボード等に設置される速度計、回転計、燃料計などの計器に用いられる、速度、エンジン回転数、又は燃料残量を表示するための計器用文字板に関するものである。
【背景技術】
【０００２】
自動車のダッシュボードには、速度計、回転計、燃料計等の計器が設置され、運転者はその計器の文字板上で指針が指示する目盛や数字、あるいは文字を読み取ることで、現在の自動車の運転状況を把握又は確認することができる。
【０００３】
図７は、従来の計器の一例を示す正面図であり、図８は、図７の計器用文字板の断面図である。図７、図８では、回転計を一例として示している。この回転計は、表示枠５１内に文字板５２を有し、この文字板５２には目盛（回転数目盛）５３、数字（回転数）５４、背景５５及び模様５６が同心配置状態にて表示されている。この文字板５２の中心部には、前記目盛５３を指標する指針５７の回転軸（図示しない）が貫通支持されている。
また、表示枠５１には、これらの文字板５２及び指針５７を上方から覆う透明のガラス板や合成樹脂板などからなる透明カバー５８が装着されている。
【０００４】
また、前記文字板５２は、図８に示すように、文字板生地層（基板）５９の表面に目盛５３や数字５４などの形状に印刷された表示用印刷層６０と、この表示用印刷層６０が印刷された個所を除き、前記文字板生地層５９の略全表面に印刷された背景用印刷層６１とが設けられている（なお、図８では、表示用印刷層６０の一部にも、背景用印刷層６１が印刷されている。）。
【０００５】
このような文字板５２では、目盛５３、数字５４、文字（図示しない）などの表示用印刷層６０は、黒色又は暗色系の背景用印刷層６１によって周囲が囲まれている。また、表示用印刷層６０は、文字板５２の後方に位置する光源（図示しない）から発せられた、該文字板５２を透過した光に対するカラーフィルタの機能を果たし、該文字板５２を透過した光のうちの特定の波長の光を透過させる。
【０００６】
一方、時計や各種機器の分野において、これらに高級感を付与するため、カーボン繊維に類似したカーボン繊維パターンをその時計や各種機器の文字板に施したものがある（例えば、特許文献１参照）。この文字板は、文字板生地層の仕上げ層上にメッキ被覆層を設け、このメッキ被覆層の表面に平織りのカーボン繊維パターンに見せかけたカーボンパターン層を印刷することにより、形成されている。
【先行技術文献】
【特許文献】
【０００７】
【特許文献１】特開２００３−１１３４９３号公報
【発明の概要】
【発明が解決しようとする課題】
【０００８】
しかし、従来のカーボン繊維パターンに見せかけたカーボンパターン層にあっては、繊細で複雑なカーボン繊維パターンの設計及び制作に多大な時間と費用がかかる。
このため、前記カーボンパターン層を安価にて実現しようとすると、概して、色の濃淡の変化の乏しいものになってしまう。そして、文字や目盛の表示、色彩変化に限界があり、計器用文字板のデザイン表現が単調になりやすかった。
【０００９】
本発明は、前記課題に鑑みてなされたものであり、その目的は、低コストで生産できるうえに、多様なデザイン表現を光学的に行い得る計器用文字板を提供することにある。
【課題を解決するための手段】
【００１０】
本発明の上記目的は、下記構成により達成される。
（１）光透過性を有する文字板生地層と、
前記文字板生地層の表面に配置されて、前記文字板生地層を透過した光のうちの特定の波長の光を透過させる表示用印刷層と、
前記表示用印刷層が配置された箇所を除く箇所において前記文字板生地層の表面に配置された、遮光性を有する背景用印刷層と、
前記背景用印刷層の表面に配置された光透過性を有するクリア印刷層と、
を備えた計器用文字板であって、
前記クリア印刷層は、所定方向と直交する方向に略平行に配置され光が当たったときにモアレが生ずる間隔が微小高さの線間に形成された多数の線からなり、各線どうしの間隔が前記所定方向又はその逆方向の少なくとも一方に向かって漸増する平行線群を有することを特徴とする計器用文字板。
【００１１】
（２）前記平行線群は、当該計器用文字板の中心から外周縁に向かって各線間の間隔が漸増することを特徴とする上記（１）に記載の計器用文字板。
【００１２】
（３）前記平行線群は、当該計器用文字板の外周縁から中心に向かって各線間の間隔が漸増することを特徴とする上記（１）に記載の計器用文字板。
【００１３】
上記（１）の構成によれば、クリア印刷層は、所定方向と直交する方向に略平行に配置され光が当たったときにモアレが生ずる間隔が微小高さの線間に形成された多数の線からなり、各線どうしの間隔が前記所定方向又はその逆方向の少なくとも一方に向かって漸増する平行線群を有するので、背景印刷層の表面に光が当たるとモアレが生じ、背景印刷層にモアレによる模様を視認することができる。したがって、多様なデザイン表現が可能になる。しかも、平行線群はクリア印刷層を印刷することにより形成されるので、低コストで模様を生じさせることができる。
【００１４】
なお、本発明において、平行線群を構成する多数の線とは、光が当たったときにモアレが生ずる間隔が線間に形成される数の線を意味する。
【００１５】
上記（２）の構成によれば、平行線群は、当該計器用文字板の中心から外周縁に向かって各線間の間隔が漸増するので、背景印刷層の表面に光が当たるとモアレが生じ、背景印刷層にモアレによる模様を視認することができる。したがって、多様なデザイン表現が可能になる。しかも、平行線群はクリア印刷層を印刷することにより形成されるので、低コストで模様を生じさせることができる。
【００１６】
上記（３）の構成によれば、当該計器用文字板の外周縁から中心に向かって各線間の間隔が漸増するので、背景印刷層の表面に光が当たるとモアレが生じ、背景印刷層にモアレによる模様を視認することができる。したがって、多様なデザイン表現が可能になる。しかも、平行線群はクリア印刷層を印刷することにより形成されるので、低コストで模様を生じさせることができる。
【００１７】
上記構成において、平行線群の各線を円弧、円、又は直線とすることにより、背景用印刷層の表面に簡単な印刷パターンにより平行線群を形成することができる。
【発明の効果】
【００１８】
本発明による計器用文字板によれば、クリア印刷層は、所定方向と直交する方向に略平行に配置され光が当たったときにモアレが生ずる間隔が微小高さの線間に形成された多数の線からなり、各線どうしの間隔が前記所定方向又はその逆方向の少なくとも一方に向かって漸増する平行線群を有するので、背景印刷層の表面に光が当たるとモアレが生じ、背景印刷層にモアレによる模様を視認することができる。したがって、多様なデザイン表現が可能になる。しかも、平行線群はクリア印刷層を印刷することにより形成されるので、低コストで模様を生じさせることができる。
【図面の簡単な説明】
【００１９】
【図１】本発明に係る計器用文字板の第１実施形態を示す正面図である。
【図２】図１の平行線群の印刷パターンを示す要部の拡大平面図である。
【図３】図１の計器用文字板の構成を示す要部の断面図である。
【図４】図１の平行線群の印刷パターンを示す要部の拡大斜視図である。
【図５】本発明の第２実施形態の平行線群の印刷パターンを示す要部の拡大平面図である。
【図６】平行線群の変形例の模式図であり、（ａ）は背景用印刷層の外周縁から中心に向けて間隔が漸増した平行線群を表し、（ｂ）は文字板と同心の円環群からなる平行線群を表し、（ｃ）は背景用印刷層の表面の任意の部分に設けた同心の円環群からなる平行線群を表し、（ｄ）は渦巻き状の平行線群を表し、（ｅ）は文字板の縦方向に配置された平行線群を表し、（ｆ）は文字板の横方向に配置された平行線群を表し、（ｇ）は文字板の斜め方向に配置された平行線群を表す。
【図７】従来の計器用文字板の形状を示す正面図である。
【図８】従来の計器用文字板の構成を示す断面図である。
【発明を実施するための形態】
【００２０】
以下、本発明の実施形態に係る計器用文字板を、図面を参照して詳細に説明する。
【００２１】
第１実施形態
本実施形態における計器用文字板２は、例えば自動車の回転計Ａに適用されている。この回転計Ａは、図１に示すように、表示枠１内に計器用文字板２（以下、単に文字板と略称する）を設けたものである。文字板２には目盛（回転数目盛）３、数字（回転数）４、背景５及び模様６が同心配置状態に設けられている。そして、文字板２の中心部には、前記目盛３を指標する指針７の回転軸（図示しない）が貫通支持されている。
【００２２】
また、表示枠１には、文字板２及び指針７を上方から覆う透明のガラス板や合成樹脂板などからなる透明カバー８が装着されている。
【００２３】
前記文字板２は、図３及び図４に示すように、文字板生地層（基板）９の表面に目盛３や数字４などの形状に印刷された表示用印刷層１０と、この表示用印刷層１０が印刷された個所を除き、前記文字板生地層９の略全表面に印刷された背景用印刷層１１とが設けられている（なお、図３では、表示用印刷層１０の一部にも、背景用印刷層１１が印刷されている。）。
【００２４】
文字板２は、アクリル樹脂、ポリカーボネート樹脂などの光透過性を有する合成樹脂板により形成される文字板生地層９を有する。自動車のダッシュボードに回転計Ａが取り付けられる際、文字板生地層９の後方に光源が位置し、その光源から発せられた光が文字板生地層９の後面に入射する。なお、文字板生地層９の後方に光源が位置しない場合には、文字板生地層９の後面に照明光を導く導光体を配置してもよい。
【００２５】
文字板生地層９の表面には、前記目盛３や数字４などの形状を有する表示用印刷層１０が設けられている。表示用印刷層１０は、着色インク又は塗料などがスクリーン印刷などによって所定厚さに形成され、カラーフィルタの機能を果たすようになっている。
【００２６】
印刷される目盛３や数字４、あるいは文字などには所定のデザイン、例えば模様や色彩を付与することは任意である。文字板生地層９を透過した光は、表示用印刷層１０の後面に入射するが、このとき、表示用印刷層１０は、該文字板生地層９を透過した光のうちの特定の波長の光を透過させ、その前面から出射させる。
【００２７】
また、文字板生地層９の表面のうちの表示用印刷層１０が設けられていない箇所には、黒色や灰色などの暗色系の色を地色とする遮光性の背景用印刷層１１が一面に施されている。背景用印刷層１１としては、例えば光反射性塗料のコーティング層を用いることができる。この場合には、背景用印刷層１１からは目盛３、数字４、文字などの表示用印刷層１０による表示とは異なる色相の光を反射させることができる。
【００２８】
文字板生地層９を透過した光は、背景用印刷層１１の後面に入射するが、このとき、背景用印刷層１１は、表示用印刷層１０の前面への光伝搬を遮断する。なお、背景用印刷層１１は、表示用印刷層１０の端部の表面にも設けられている。
【００２９】
背景用印刷層１１の上面には、クリア印刷層１２が設けられている。
クリア印刷層１２は、図１、図２、図４に示すように、背景用印刷層１１の上面に同心で円弧状に平行に印刷された線１２ａの集合（平行線群１３）を有する。線１２ａは、図４に示すように微小高さの突起である。なお、平行線群１３は背景用印刷層１１の上面全体に複数が印刷されているのであるが、図１には図示の便宜のため、平行線群１３の一部が図示されている。
【００３０】
平行線群１３は同心で印刷されるのであるから、各線１２ａが円弧状であり、その長さＸは中心から外周縁に向かって位置する線１２ａほど長くなっている。また、各線１２ａどうしの間隔Ｙは、文字板の中心から外周縁に向かって漸増している。
なお、各線１２ａは、図１に示すように、目盛３上や数字４上にも印刷されてもよい。
【００３１】
クリア印刷層１２に対し、図４に矢印で示すように計器正面から光Ｌが入射すると、同一方向から同一強度の光Ｌが入射した場合でも、各線１２ａで反射及び屈折された反射光の進行方向は一定でなくなる。そして、これらの反射光が入射光と干渉する現象に加え、各線１２ａの表面で反射した反射光どうしが干渉する現象によって、いわゆるモアレが生じる。
【００３２】
各線１２ａは、図１に示すように文字板生地層９の略全面に印刷されているのであるから、光Ｌの強度や色に対応したモアレが生じると、回転計Ａの計器用文字板２に、モアレにより生じた模様が視認されることになる。
【００３３】
したがって、本来は美的感覚を催すことの少ない計器用文字盤２が、入射光Ｌの強度や見る者の目視角度によって自在に変化する模様が視認されることになり、美的感覚を催すようになる。しかも、目盛３や数字４は模様を透しても目視可能であるから、運転に支障をきたすことはない。
【００３４】
第２実施形態
本実施形態におけるクリア印刷層２１と、前記第１実施形態に示したクリア印刷層１２とは、線の構成が異なっている。
【００３５】
第１実施形態における線１２ａは、それぞれが同心で円弧状に形成されていた。これに対し、本実施形態における平行線群２３は、図５に示すように、直列に配置された複数の円弧状の線２１ｂの組２１ａを多数配置して構成されている。
【００３６】
各線２１ｂの組２１ａ間の間隔Ｙは、計器用文字板２の中心から外周縁に向けて漸増している。線２１ａの曲率半径はすべて同じであるが、線２１の組２１ａごとに曲率中心が異なっている。背景用印刷層１１には、このような平行線群２３が円周方向に複数並んで設けられている。
【００３７】
クリア印刷層２１に対し、第１実施形態と同様に計器正面から光Ｌが入射すると、同一方向から同一強度の光Ｌが入射した場合でも、各線２１ｂで反射及び屈折された反射光の進行方向は一定でなくなる。そして、これらの反射光が入射光と干渉する現象に加え、各線２１ｂの表面で反射した反射光どうしが干渉する現象によって、いわゆるモアレが生じる。
【００３８】
線２１ｂの組２１ａからなる平行線群２３は、第１実施形態と同様に、文字板生地層９の略全面に印刷されているのであるから、光Ｌの強度や色に対応したモアレが生じると、回転計Ａの計器用文字盤２に、モアレにより生じた模様が視認されることになる。
【００３９】
したがって、本来は美的感覚を催すことの少ない計器用文字盤２が、入射光Ｌの強度や見る者の目視角度によって自在に変化する模様が視認されることになり、美的感覚を催すようになる。しかも、目盛３や数字４は模様を透しても目視可能であるから、運転に支障をきたすことはない。
【００４０】
なお、図５にあっては、線２１ｂの組２１ａを４個の線２１ｂで構成しているが、これは例示であって、２個以上の線２１ｂであれば個数は限定されない。
【００４１】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４２】
第１実施形態及び第２実施形態では、各線１２ａ又は線の組２１ａが背景用印刷層１１の中心から外周縁に向けて間隔が漸増するように印刷されているが、これとは逆に、背景用印刷層１１の外周縁から中心に向けて間隔が漸増するように印刷してもよい（図６（ａ）参照）。
【００４３】
また、各線１２ａは、背景用印刷層１１の表面に、円弧ではなく同心の環状に形成してもよい。この場合、平行線群は、文字板と同心の円環群であってもよく（図６（ｂ）参照）、また、背景用印刷層の表面の任意の部分に設けた同心の円環群であってもよい（図６（ｃ）参照）
【００４４】
また、平行線群は、背景用印刷層の表面に渦巻き状に形成してもよい（図６（ｄ）参照）。
【００４５】
また、平行線群が配置される方向は、実施形態のような放射方向ではなく、文字板の縦方向、横方向、斜め方向であってもよい（図６（ｅ）、（ｆ）、（ｇ）参照）。これらの平行線群を構成する線は、円弧でもよく直線でもよい。
【００４６】
なお、図６（ａ）〜（ｇ）に示したいずれの変形例においても、線１２ａどうしの間隔が漸増する方向は図示と逆であってもよい。
【符号の説明】
【００４７】
Ａ  回転計
１  表示枠
２  計器用文字板
３  目盛
４  数字
５  背景
６  模様
７  指針
８  透明カバー
９  文字板生地層
１０  表示用印刷層
１１  背景用印刷層
１２，２１  クリア印刷層
１２ａ，２１ｂ  線
１３，２３  平行線群
２１ａ  線の組
Ｘ  線の長さ
Ｙ  線の間隔
【図１】
0005545945.tif 000002
【図２】
0005545945.tif 000003
【図３】
0005545945.tif 000004
【図４】
0005545945.tif 000005
【図５】
0005545945.tif 000006
【図６】
0005545945.tif 000007
【図７】
0005545945.tif 000008
【図８】
0005545945.tif 000009